(57)【要約】【課題】留め具としてのピンを極めて短くすることができ、ブローチ本体のデザインの自由度を拡大させ、ブローチ本体をより繊細な美しいデザインとすることを可能とし、ブローチ本体の弾性変形を利用して片手で容易に衣類に着脱することができるブローチを提供する。【解決手段】ピンによって衣類に装着するブローチ１であって、弾性変形可能なデザインのブローチ本体１１と、一対のショートピン１２、１２とを備え、各ショートピン１２、１２を互いに逆方向に向けてブローチ本体１１に固定するとともに、各ショートピン１２、１２の少なくとも一方を、ブローチ本体１１の弾性変形可能な箇所に固定した構成としてある。【選択図】図１
2012143623.tif 000002
【特許請求の範囲】
【請求項１】
ピンによって衣類に装着するブローチであって、
弾性変形可能なデザインのブローチ本体と、一対のショートピンとを備え、
各ショートピンを互いに逆方向に向けて前記ブローチ本体に固定するとともに、各ショートピンの少なくとも一方を、前記ブローチ本体の弾性変形可能な箇所に固定したことを特徴とするブローチ。
【請求項２】
前記ブローチ本体が、デザインの少なくとも一部に略Ｖ字形又は略Ｕ字形の屈曲部を含み、前記屈曲部を支点として弾性変形可能とした請求項１に記載のブローチ。
【請求項３】
前記ブローチ本体が、デザインの少なくとも一部に巻回部を含み、前記巻回部を支点として弾性変形可能とした請求項１又は２に記載のブローチ。
【請求項４】
前記ブローチ本体が、デザインの少なくとも一部に前記屈曲部及び前記巻回部の少なくとも一方を形成した棒状、板状又は帯状の金属からなる請求項２又は３記載のブローチ。
【請求項５】
前記ブローチ本体が、一連の帯状の金属を複数回、巻き回して両端を結合し、その全体を弾性変形可能とした請求項１に記載のブローチ。
【請求項６】
前記ブローチ本体が、一連の帯状の金属をランダムに捩りかつ絡ませて両端を結合し、その全体を弾性変形可能とした請求項１に記載のブローチ。
【請求項７】
前記ブローチ本体、又は前記ブローチ本体及び各ショートピンを、貴金属により形成した請求項１〜６のいずれか１項に記載のブローチ。
【発明の詳細な説明】
【技術分野】
【０００１】
本発明は、例えば、衣服、帽子、スカーフなどの衣類にピンによって装着するブローチに関し、特に、従来にない新規な装着構造を採用したブローチに関する。
【背景技術】
【０００２】
従来から衣服、帽子、スカーフなどの衣類に装着する装飾品としてブローチが知られている。一般的なブローチは、特許文献１〜１８に記載されているとおり、装飾品としてデザインされたブローチ本体に、長尺ピンと、その針先を固定するための係止具とを設けた構成となっていた。
【０００３】
例えば、図１１及び１２は、特許文献１０に記載されたブローチを示す正面図及び背面図である。これら図面において、従来のブローチ１００は、図１１に示すように、∞の形状にデザインされた装飾品としてのブローチ本体１１０を備えている。図１２に示すように、ブローチ本体１１０の裏側には、衣類に装着するための長尺ピン１２０の後端が、可動自在に取り付けてある。この長尺ピン１２０の先端は、クリップ状の係止部１２１により保持されている。
【先行技術文献】
【特許文献】
【０００４】
【特許文献１】特開２００４−１７３９５２号公報
【特許文献２】特開２００４−００８３５９号公報
【特許文献３】特開平１１−０４６８１９号公報
【特許文献４】特開平１０−０５７１２２号公報
【特許文献５】特開平９−２９４６１３号公報
【特許文献６】特開平９−２７１４０５号公報
【特許文献７】特開平８−１８２５１８号公報
【特許文献８】特開平８−１４０７１４号公報
【特許文献９】意匠登録第１４２２００５号公報
【特許文献１０】意匠登録第１１９３８７５号公報
【特許文献１１】意匠登録第１１５４４６７号公報
【特許文献１２】意匠登録第１１２７８８７号公報
【特許文献１３】意匠登録第１１１０２６０号公報
【特許文献１４】意匠登録第１１０８９６０号公報
【特許文献１５】意匠登録第１１０８９５９号公報
【特許文献１６】意匠登録第１１０８９５８号公報
【特許文献１７】意匠登録第１１０８９５７号公報
【特許文献１８】意匠登録第１０７２５５２号公報
【発明の概要】
【発明が解決しようとする課題】
【０００５】
＜ブローチのデザイン阻害＞
例えば、特許文献２に記載されているように、従来の長尺ピンは、比較的大きくて存在感があり、ブローチを見た看者の注意を引いてしまい、装飾品であるブローチ本体の外観を損なうという問題があった。特に、ブローチ本体がある程度の纏まった面積を有するデザインの場合（例えば、特許文献９、１１〜１８）には、その裏側に長尺ピン及び係止部が隠れるので、外観上の問題は生じない。しかし、ブローチ本体が纏まった面積を有しない繊細なデザインの場合には、ブローチ本体と同等に、長尺ピン及び係止部の外観が看者の視覚に訴えてしまい、ブローチ本体のデザインが損なわれてしまう。
【０００６】
＜ブローチのデザイン制限＞
そこで、ブローチ本体を繊細なデザインとした場合には、例えば、上述した特許文献１０のように、長尺ピン１２０及び係止部１２１の配置を工夫して、繊細なブローチ本体１１０に隠れるようにすることが考えられる。しかし、長尺ピン１２０及び係止部１２１をブローチ本体１１０の裏側に隠すためには、少なくともブローチ本体１１０が、長尺ピン１２０よりも大きい幅及び長さを有していなければならず、長尺ピン１２０を隠すためにブローチ本体１１０のデザインの自由度が制限されてしまうという問題がある。
【０００７】
例えば、線状、細い棒状、薄い帯状など、ブローチ本体をより繊細なデザインとした場合には、もはや従来の長尺ピンをブローチ本体で隠すことはできず、このような場合には、長尺ピンを含む留め具もブローチのデザインの一部とするほかなかった。
【０００８】
＜装着の手間＞
従来の長尺ピンを用いたブローチの留め具は、いずれも安全ピン類似の構造となっていたため、係止部から長尺ピンを外し、長尺ピン全体を衣類に穿刺して、長尺ピンの針先を係止部に止めるといった作業を、全て両手で行わなければならなかった。このため、従来のブローチは、片手で簡単に着脱することができないという問題があった。さらに、従来のブローチでは、長尺ピンの針先を衣類に一度穿刺し、次に衣類の中に入った針先を目視しないで二度目の穿刺を行わなければならず、ブローチの傾き角を正確に位置決めすることが困難であった。例えば、上述した特許文献１０のように、長尺ピン１２０が斜めに配置されている場合は、ブローチ本体１１０が正確な水平となるように装着することが困難である。
【０００９】
＜本発明の目的＞
本発明は、上記問題点に鑑みてなされたものであり、留め具としてのピンを極めて短くすることができ、ブローチ本体のデザインの自由度を拡大させ、ブローチ本体をより繊細な美しいデザインとすることを可能とし、ブローチ本体の弾性変形を利用して片手で容易に衣類に着脱することができる、ブローチの提供を目的とする。
【課題を解決するための手段】
【００１０】
（１）上記目的を達成するために、本発明のブローチは、ピンによって衣類に装着するブローチであって、弾性変形可能なデザインのブローチ本体と、一対のショートピンとを備え、各ショートピンを互いに逆方向に向けて前記ブローチ本体に固定するとともに、各ショートピンの少なくとも一方を、前記ブローチ本体の弾性変形可能な箇所に固定した構成としてある。
【００１１】
上記構成からなる本発明のブローチは、ブローチ本体の弾性変形を利用して片手で容易に衣類に着脱することができる。すなわち、片手でブローチ本体を持ち、目視で確認しながら一方のショートピンを衣類の所望する位置に穿刺する。次いで、そのまま片手でブローチ本体を弾性変形させつつ、目視で確認しながら他方のショートピンを衣類の所望する位置に穿刺する。このとき、他方のショートピンを穿刺する位置を調整することにより、ブローチ本体を正確に水平にし、又は所望する傾きを与えることができる。その後、片手の把持力を緩めるとブローチ本体が復元し、このときの復元力によって一対のショートピンが衣類にしっかりと装着される。本発明のブローチを衣類に装着すると、一対のショートピンは衣類の内側に隠れ、装飾品であるブローチ本体のみがブローチの外観をなす。
【００１２】
また、上述したブローチの装着状態において、ブローチ本体を再び弾性変形させるだけで、衣類から各ショートピンを簡単に抜くことができ、片手で容易にブローチを衣類から取り外すことが可能である。
【００１３】
このような本発明のブローチによれば、留め具としてのピンを極めて短くすることができ、ブローチ本体のデザインの自由度を拡大させることができる。すなわち、ブローチ本体でピンを隠す必要がなくなり、ブローチ本体をより繊細な美しいデザインとすることが可能となる。また、本発明のブローチは、ブローチ本体の弾性変形を利用して、片手で容易に衣類に着脱することができ、装着に際しては、各ショートピンを目視しながらブローチ本体の位置及び傾きを正確に決めることが可能である。
【００１４】
ここで、本発明における「各ショートピンを互いに逆方向に向けて」には、一対のショートピンの針先の向きを基準とし、互いの針先が逆方向を向いて対向しない構成と、互いの針先が逆方向を向いて対向する構成との両方を含む。
【００１５】
そして、一対のショートピンの針先が互いに対向しない構成を採用した場合には、ブローチ本体を収縮させる方向に弾性変形させて、一対のショートピンを衣類に穿刺させ、ブローチ本体が拡張する方向に戻るときの復元力で、各ショートピンの穿刺が保持される。一方、一対のショートピンの針先が互いに対向する構成を採用した場合には、ブローチ本体を拡張させる方向に弾性変形させて、一対のショートピンを衣類に穿刺させ、ブローチ本体が収縮する方向に戻るときの復元力で、各ショートピンの穿刺が保持される。
【００１６】
（２）好ましくは、前記ブローチ本体が、デザインの少なくとも一部に略Ｖ字形又は略Ｕ字形の屈曲部を含み、前記屈曲部を支点として弾性変形可能とした構成にするとよい。
【００１７】
上記構成によれば、ブローチ本体の一部に略Ｖ字形又は略Ｕ字形の屈曲部を設けることで、このような屈曲部と連続する部分を弾性変形可能とすることができる。
【００１８】
（３）好ましくは、前記ブローチ本体が、デザインの少なくとも一部に巻回部を含み、前記巻回部を支点として弾性変形可能とした構成にするとよい。
【００１９】
上記構成によれば、ブローチ本体の一部に巻回部を設けることで、このような巻回部と連続する部分を弾性変形可能とすることができる。特に、上記（２）の屈曲部と巻回部とを並設した場合には、ブローチ本体がより弾性変形しやすくなり、ブローチの着脱が容易となる。
【００２０】
（４）好ましくは、前記ブローチ本体が、デザインの少なくとも一部に前記屈曲部及び前記巻回部の少なくとも一方を形成した線状、棒状、板状又は帯状の金属からなる構成にするとよい。
【００２１】
上記構成によれば、棒状又は帯状の金属からなるブローチ本体が、屈曲部及び巻回部の少なくとも一方を支点として弾性変形可能となる。この弾性変形を利用して、ブローチ本体を一対のショートピンでしっかりと衣類に装着することができるので、ショートピンを短くして目立たなくすることが可能となり、ブローチ本体を、細い線状、棒状又は薄い板状、帯状の金属からなる繊細なデザインとすることができる。
【００２２】
（５）好ましくは、前記ブローチ本体が、一連の帯状の金属を複数回、巻き回して両端を結合し、その全体を弾性変形可能とした構成にするとよい。
【００２３】
上記構成によれば、ブローチ本体を、一連の帯状の金属を複数回、巻き回した繊細かつ斬新なデザインとすることができるとともに、ブローチ本体の全体が弾性変形可能となり、この弾性変形を利用して、一対のショートピンによる本発明の特有の装着構造を実現することができる。
【００２４】
（６）好ましくは、前記ブローチ本体が、一連の帯状の金属をランダムに捩りかつ絡ませて両端を結合し、その全体を弾性変形可能とした構成にするとよい。
【００２５】
上記構成によれば、ブローチ本体を、一連の帯状の金属をランダムに捩りかつ絡ませた繊細かつ斬新なデザインとすることができるとともに、ブローチ本体の全体が弾性変形可能となり、この弾性変形を利用して、一対のショートピンによる本発明の特有の装着構造を実現することができる。
【００２６】
（７）好ましくは、前記ブローチ本体、又は前記ブローチ本体及び各ショートピンを、貴金属により形成した構成にするとよい。
【００２７】
上記構成によれば、本発明のブローチの装飾品としての機能的及びデザイン的価値のほかに、宝飾品としての財産的価値を持たせることができる。
【００２８】
ここで、「貴金属」とは、一般的には、ホワイトゴールドを含む金（Ａｕ）、銀（Ａｇ）、白金（Ｐｔ）、パラジウム（Ｐｄ）などの希少価値の高い金属を意味するが、本発明における「貴金属」には、これ以外にステンレスやチタンなどの非鉄金属を含む。
【発明の効果】
【００２９】
本発明のブローチによれば、留め具としてのピンを極めて短くすることができ、ブローチ本体のデザインの自由度を拡大させ、ブローチ本体をより繊細な美しいデザインとすることを可能とし、ブローチ本体の弾性変形を利用して片手で容易に衣類に着脱することができる。
【図面の簡単な説明】
【００３０】
【図１】本発明の第１実施形態に係るブローチを示すものであり、同図（ａ）は背面図、同図（ｂ）は背面から見た斜視図である。
【図２】上記ブローチを弾性変形させたときの状態を示す背面図である。
【図３】本発明の第２実施形態に係るブローチを示すものであり、同図（ａ）は背面図、同図（ｂ）は背面から見た斜視図である。
【図４】本発明の第３実施形態に係るブローチを示すものであり、同図（ａ）は背面図、同図（ｂ）は背面から見た斜視図である。
【図５】本発明の第４実施形態に係るブローチを示す背面図である。
【図６】本発明の第５実施形態に係るブローチを示す背面図である。
【図７】本発明の第６実施形態に係るブローチを示す背面図である。
【図８】本発明の第７実施形態に係るブローチを示す背面図である。
【図９】本発明の第８実施形態に係るブローチを示す正面図である。
【図１０】本発明の第９実施形態に係るブローチを示す背面図である。
【図１１】従来のブローチを示す正面図である。
【図１２】上記従来のブローチを示す背面図である。
【発明を実施するための形態】
【００３１】
＜第１実施形態＞
以下、本発明の第１実施形態に係るブローチについて、図１（ａ）、（ｂ）及び図２を参照しつつ説明する。
【００３２】
図１（ａ）及び（ｂ）において、本発明の第１実施形態に係るブローチ１は、全体を略Ｎ字形にデザインしたブローチ本体１１と、一対のショートピン１２、１２と、一対の留め具１３、１３とを備えた構成となっている。
【００３３】
本実施形態におけるブローチ本体１１は、美しく流れるラインの感じと、スプリング機能とを合わせ持ったデザインとしてあり、例えば、稲妻（Ｌｉｇｈｔｎｉｎｇ）の如き外観を呈している。より具体的に、ブローチ本体１１は、幅寸法よりも高さ寸法が大きい板状の金属が、弧状の滑らかな軌跡を描いている。ブローチ本体１１の上下２箇所には、円弧状に曲がる略Ｕ字形の屈曲部１１ａ、１１ａがそれぞれ形成してある。
【００３４】
このようなデザインのブローチ本体１１は、図１（ａ）に示すとおりに衣類に装着してもよいし、図中の上下が逆になるように衣類に装着してもよい。さらに、ブローチ本体１１を所望する角度に傾けて衣類に装着してもよい。
【００３５】
ブローチ本体１１の中間部の両側には、それぞれ付根部分が略９０°に曲がった一対のショートピン１２、１２が、互いに逆方向に向けて溶接してある。本実施形態のショートピン１２、１２は、互いの針先が逆方向を向いて対向しない構成を採用している。これらショートピン１２、１２には、それぞれ金属製の有底円筒である留め具１３、１３が装着される。
【００３６】
ここで、ブローチ本体１１の素材は、例えば、ホワイトゴールドを含む金（Ａｕ）、銀（Ａｇ）、白金（Ｐｔ）などの貴金属、ステンレスやチタンなどの非鉄金属とすることができる。ショートピン１２、１２は、ブローチ本体１１と同じ素材にして質感を統一することが好ましいが、素材は特に限定されない。留め具１３、１３もブローチ本体１１と同じ素材とすることが好ましいが、例えば、真鍮に金やロジウムなどのメッキを施したものとしてもよい。
【００３７】
また、本実施形態では、図１（ａ）におけるブローチ本体１１の下端側に、デザインのアクセントとなる飾り１１ｂが設けてある。この飾り１１ｂは、ブローチ本体１１の金属で一体的に設けてもよいし、例えば、ブローチ本体１１とは異なる金属又は宝石であってもよい。
【００３８】
このような第１実施形態に係るブローチ１は、図２に示すように、略Ｕ字形の屈曲部１１ａ、１１ａを支点として、ブローチ本体１１が拡縮方向（図中の矢印が示す左右方向を参照）に弾性変形可能となっている。このブローチ本体１１の弾性変形を利用して、ブローチ１は、片手で容易に衣類に着脱することができる。
【００３９】
すなわち、片手でブローチ本体１１を持ち、目視で確認しながら一方のショートピン１２を衣類の所望する位置に穿刺する。次いで、そのまま片手でブローチ本体１１を伸縮させる方向に弾性変形させつつ、目視で確認しながら他方のショートピン１２を衣類の所望する位置に穿刺する。このとき、他方のショートピン１２を穿刺する位置を調整することにより、ブローチ本体１１を正確に水平にし、又は所望する傾きを与えることができる。その後、片手の把持力を緩めるとブローチ本体１１が拡張する方向に戻り、このときの復元力によって一対のショートピン１２、１２が衣類にしっかりと装着される。ブローチ１を衣類に装着すると、一対のショートピン１２、１２は衣類の内側に隠れ、装飾品であるブローチ本体１１のみがブローチ１の外観をなす。
【００４０】
また、上述したブローチ１の装着状態において、ブローチ本体１１を再び伸縮させる方向に弾性変形させるだけで、衣類から各ショートピン１２、１２を簡単に抜くことができ、片手で容易にブローチ１を衣類から取り外すことが可能である。
【００４１】
上述した第１実施形態に係るブローチ１によれば、留め具としてのショートピン１２、１２を極めて短くして目立たなくすることができ、ブローチ本体１１のデザインの自由度を拡大させることができる。すなわち、ブローチ本体１１でショートピン１２、１２を隠す必要がなくなり、ブローチ本体１１をより繊細な美しいデザインとすることが可能となる。また、第１実施形態のブローチ１は、ブローチ本体１１の弾性変形を利用して、片手で容易に衣類に着脱することができ、装着に際しては、各ショートピンを目視しながらブローチ本体１１の位置及び傾きを正確に決めることが可能である。
【００４２】
＜第２実施形態＞
次に、本発明の第２実施形態に係るブローチについて、図３（ａ）及び（ｂ）を参照しつつ説明する。
【００４３】
図３（ａ）及び（ｂ）において、本実施形態に係るブローチ２は、上述した第１実施形態に係るブローチ１のバリエーションのデザインとなっている。すなわち、本実施形態のブローチ本体２１は、図１（ａ）及び（ｂ）に示すブローチ本体１１と同じ略Ｎ字形となっているが、第１実施形態と異なり、略Ｎ字形の金属が高さの低いいわゆる「かまぼこ形」の断面をしている。ブローチ本体２１の弧状の滑らかな軌跡を描いたデザインは、第１実施形態と同様である。
【００４４】
また、第１実施形態と異なり、ブローチ本体２１の屈曲部２１ａ、２１ａは、それぞれ鋭角に曲がった略Ｖ字形としてある。ブローチ本体２１は、このような略Ｖ字形の屈曲部２１ａ、２１ａを支点として、第１実施形態と同様に、図２に示した拡縮方向の弾性変形が可能である。
【００４５】
その他、ショートピン２２、２２と飾り２１ｂとについては、上述した第１実施形態と同様の構成になっている。また、ブローチ本体２１、ショートピン２２の素材は、上述した第１実施形態のブローチ本体１１、ショートピン１２と同様である。
【００４６】
上述した第２実施形態のブローチ２によれば、第１実施形態と同様に、留め具としてのショートピン２２、２２を極めて短くすることができ、ブローチ本体２１のデザインの自由度を拡大させ、ブローチ本体２１をより繊細な美しいデザインとすることを可能とし、ブローチ本体２１の弾性変形を利用して片手で容易に衣類に着脱することができる。
【００４７】
＜第３実施形態＞
次に、本発明の第３実施形態に係るブローチについて、図４（ａ）及び（ｂ）を参照しつつ説明する。
【００４８】
図４（ａ）及び（ｂ）において、本実施形態に係るブローチ３は、ブローチ本体３１が断面円形の棒状の金属からなっている。そして、ブローチ本体３１は、その棒状の金属の中間部を１回だけ巻き回し、略水滴形の輪郭を有する巻回部３１ａを形成したデザインとしてある。
【００４９】
ブローチ本体３１の短い方の端部には、一方のショートピン３２が溶接してあり、ブローチ本体３１の長い方の端部側の同じ位置に、他方のショートピン３２が溶接してある。これらショートピン３２、３２は、互いの針先が逆方向を向いて対向しない構成としてある。なお、ブローチ本体３１、ショートピン３２の素材は、上述した第１実施形態のブローチ本体１１、ショートピン１２と同様である。
【００５０】
このような第３実施形態に係るブローチ３は、第１及び第２実施形態と同様に、巻回部３１ａを支点として、ブローチ本体３１の全体が拡縮方向に弾性変形可能である。この弾性力を利用して、ショートピン３２、３２の衣類への穿刺を保持することができるので、ショートピン３２、３２を短くして目立たないようにすることが可能となり、ブローチ本体３１を繊細な棒状のデザインとすることができる。
【００５１】
また、第１及び第２実施形態と同様に、ブローチ本体３１の弾性変形を利用して、片手で容易に衣類に着脱することができ、装着に際しては、各ショートピン３２、３２を目視しながらブローチ本体３１の位置及び傾きを正確に決めることが可能である。
【００５２】
＜第４実施形態＞
次に、本発明の第４実施形態に係るブローチについて、図５を参照しつつ説明する。
【００５３】
図５において、本実施形態に係るブローチ４は、上述した第３実施形態に係るブローチ３のバリエーションのデザインとなっている。すなわち、本実施形態のブローチ本体４１は、図４（ａ）及び（ｂ）に示すブローチ本体３１と同じ断面円形の棒状の金属を曲げた構成としてあるが、第３実施形態と異なり、ブローチ本体４１は、その棒状の金属の中間部に略Ｕ字形の屈曲部４１ａを形成したデザインとなっている。
【００５４】
その他、ショートピン４２、４２については、上述した第３実施形態と同様の構成になっている。また、ブローチ本体４１、ショートピン４２の素材は、上述した第１実施形態のブローチ本体１１、ショートピン１２と同様である。
【００５５】
このような第４実施形態に係るブローチ４も、第１〜３実施形態と同様に、屈曲部４１ａを支点として、ブローチ本体４１の全体が拡縮方向に弾性変形可能であり、第１〜３実施形態と同様の作用効果を奏する。
【００５６】
＜第５実施形態＞
次に、本発明の第５実施形態に係るブローチについて、図６を参照しつつ説明する。
【００５７】
図６において、本実施形態に係るブローチ５は、上述した第３及び第４実施形態に係るブローチ３、４のバリエーションのデザインとなっている。すなわち、本実施形態のブローチ本体５１は、図４及び図５に示すブローチ本体３１、４１と同じ断面円形の棒状の金属を曲げた構成としてある。しかし、第３及び第４実施形態と異なり、ブローチ本体５１は、その棒状の金属の中間部に略Ｕ字形の屈曲部５１ａを形成するとともに、この屈曲部５１ａに隣接する円形の巻回部５１ｂを形成したデザインとなっている。
【００５８】
その他、ショートピン５２、５２については、上述した第３及び第４実施形態と同様の構成としてある。また、ブローチ本体５１、ショートピン５２の素材は、上述した第１実施形態のブローチ本体１１、ショートピン１２と同様である。
【００５９】
このような第５実施形態に係るブローチ５は、ブローチ本体５１に屈曲部５１ａと巻回部５１ｂとを並設したことにより、ブローチ本体５１がより弾性変形しやすくなり、衣類への着脱が容易となる。
【００６０】
＜第６実施形態＞
次に、本発明の第６実施形態に係るブローチについて、図７を参照しつつ説明する。
【００６１】
図７において、本実施形態に係るブローチ６は、断面円形の棒状の金属を曲げたブローチ本体６１を有する。このブローチ本体６１は、その棒状の金属の中間部３箇所に、略Ｖ字形の屈曲部６１ａ、６１ｂ、６１ｃを形成し、全体がアルファベットの「Ｗ」をイメージさせるようなデザインとなっている。
【００６２】
その他、ショートピン６２、６２については、上述した第１〜５実施形態と同様の構成になっている。また、ブローチ本体６１、ショートピン６２の素材は、上述した第１実施形態のブローチ本体１１、ショートピン１２と同様である。
【００６３】
このような第６実施形態に係るブローチ６は、ブローチ本体６１に３つの屈曲部６１ａ、６１ｂ、６１ｃを形成したことにより、ブローチ本体６１がより柔軟に弾性変形しやすくなり、衣類への着脱が容易となる。
【００６４】
＜第７実施形態＞
次に、本発明の第７実施形態に係るブローチについて、図８を参照しつつ説明する。
【００６５】
図８において、本実施形態に係るブローチ７は、薄くかつ幅の狭い帯状の金属を「木の葉形」の輪郭に連続させた、互いに相似形の本体要素７１Ａ、７１Ｂ、７１Ｃ、７１Ｄ、７１Ｅからなるブローチ本体７１を有する。本体要素７１Ａ、７１Ｂ、７１Ｃ、７１Ｄ、７１Ｅの素材は、ホワイトゴールドを含む金（Ａｕ）、銀（Ａｇ）、白金（Ｐｔ）などの貴金属、ステンレスやチタンなどの非鉄金属、これら貴金属又は非鉄金属を主体とした合金とすることができる。
【００６６】
これら本体要素７１Ａ、７１Ｂ、７１Ｃ、７１Ｄ、７１Ｅは、外側から大きい順番に入れ子状に配置してあり、全ての本体要素７１Ａ、７１Ｂ、７１Ｃ、７１Ｄ、７１Ｅが重なり合う中央両側を、一対のショートピン７２、７２で貫通保持している。上述した第１〜５実施形態と異なり、一対のショートピン７２、７２は、頭部を有するストレートピンとなっている。
【００６７】
ここで、本体要素７１Ａ、７１Ｂ、７１Ｃ、７１Ｄ、７１Ｅの上下には、それぞれ略Ｖ字形の屈曲部７１ａ、７１ａが形成してあり、これら複数の７１ａ、７１ａ、７１ａ…を支点にして、ブローチ本体７１の全体が拡縮方向に弾性変形可能となっている。
【００６８】
このような第７実施形態に係るブローチ７は、薄くかつ幅の狭い帯状の本体要素７１Ａ、７１Ｂ、７１Ｃ、７１Ｄ、７１Ｅが協働して、ブローチ本体７１に十分な弾性力を与えることができ、ブローチ本体７１が帯状の金属からなる繊細なデザインであっても、第１〜６実施形態と同様の作用効果を奏することが可能である。
【００６９】
＜第８実施形態＞
次に、本発明の第８実施形態に係るブローチについて、図９を参照しつつ説明する。
【００７０】
図９において、本実施形態に係るブローチ８は、薄くかつ幅の狭い一連の帯状の金属を複数回、略円形に巻き回して両端を結合し、その全体を拡縮方向に弾性変形可能としたブローチ本体８１を有する。ブローチ本体８１の中央左側において帯状の金属を重ね合わせ、当該箇所を一方のショートピン８２で貫通保持している。なお、ブローチ本体８１の素材は、上述した第７実施形態のブローチ本体７１と同様である。
【００７１】
ブローチ本体８１のショートピン８２で貫通保持した箇所以外は、略円形に巻き回した帯状の金属が自由に動けるようになっている。略円形に巻き回した帯状の金属の一つには、一方のショートピン８２に対向する他方のショートピン８２が固定してある。
【００７２】
ここで、本実施形態に係るブローチ８では、一対のショートピン８２、８２の針先が互いに対向する構成を採用している。このようなブローチ８は、衣類に装着するときに、ブローチ本体８１を拡張させる方向に弾性変形させて、各ショートピン８２、８２を衣類に穿刺させる。すると、ブローチ本体８１が収縮する方向に戻るときの復元力で、各ショートピン８２、８２の穿刺が保持される。
【００７３】
このような第８実施形態に係るブローチ８によれば、薄くかつ幅の狭い一連の帯状の金属を複数回、略円形に巻き回すことで、ブローチ本体８１に十分な弾性力を与えることができ、ブローチ本体８１が帯状の金属からなる繊細なデザインであっても、第１〜７実施形態と同様の作用効果を奏することが可能である。
【００７４】
＜第９実施形態＞
次に、本発明の第９実施形態に係るブローチについて、図１０を参照しつつ説明する。
【００７５】
図１０において、本実施形態に係るブローチ９は、薄くかつ幅の狭い一連の帯状の金属をランダムに捩りかつ絡ませて両端を結合し、その全体を拡縮方向に弾性変形可能としたブローチ本体９１を有する。ブローチ本体９１の左右には、針先が互いに対向する向きで一対のショートピン９２、９２が溶接してある。なお、ブローチ本体９１の素材は、上述した第７実施形態のブローチ本体７１と同様である。
【００７６】
このようなブローチ９は、上述した第８実施形態と同様に、衣類に装着するときに、ブローチ本体９１を拡張させる方向に弾性変形させて、各ショートピン９２、９２を衣類に穿刺させる。すると、ブローチ本体９１が収縮する方向に戻るときの復元力で、各ショートピン９２、９２の穿刺が保持される。
【００７７】
このような第９実施形態に係るブローチ９によれば、薄くかつ幅の狭い一連の帯状の金属をランダムに捩りかつ絡ませることで、ブローチ本体９１に十分な弾性力を与えることができ、ブローチ本体９１が帯状の金属からなる繊細なデザインであっても、第１〜８実施形態と同様の作用効果を奏することが可能である。
【符号の説明】
【００７８】
１、２、３、４、５、６、７、８、９、１０  ブローチ
１１、２１、３１、４１、５１、６１、７１、８１、９１  ブローチ本体
１１ａ、２１ａ、３１ａ、４１ａ、５１ａ、６１ａ、６１ｂ、６１ｃ、７１ａ  屈曲部
５１ｂ  巻回部
１１ｂ、２１ｂ  飾り
１２、２２、３２、４２、５２、６２、７２、８２、９２  ショートピン
１３  止め金具
【図１】
2012143623.tif 000003
【図２】
2012143623.tif 000004
【図３】
2012143623.tif 000005
【図４】
2012143623.tif 000006
【図５】
2012143623.tif 000007
【図６】
2012143623.tif 000008
【図７】
2012143623.tif 000009
【図８】
2012143623.tif 000010
【図９】
2012143623.tif 000011
【図１０】
2012143623.tif 000012
【図１１】
2012143623.tif 000013
【図１２】
2012143623.tif 000014